【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
車両の調達計画期間における荷物の搬送に必要な車両の調達計画を行う情報処理装置であって、
車両の調達契約期間が異なる複数の車両調達契約タイプについて、車両の調達契約期間および契約金額を少なくとも定義した契約情報を記憶する記憶手段と、
車両の調達計画を行う前記調達計画期間を設定する期間設定手段と、
前記期間設定手段で設定された前記調達計画期間の各日に荷物の搬送のために必要な車両台数を入力する入力手段と、
前記記憶手段に記憶されている契約情報に定義された車両調達契約タイプ毎の車両の調達契約期間及び車両調達契約の始期日を少なくとも条件として、複数の前記車両調達契約タイプについての当該調達計画期間における車両調達契約パターンを生成する第１の生成手段と、
前記車両調達契約パターン及びその契約金額に従って、前記入力手段で入力された各日に必要な前記車両台数を満たし、且つ、前記車両台数を調達するために必要な契約金額の合計が最小となる車両の調達パターンにおいて各車両調達契約パターンで調達される車両の調達数を算出する演算手段と
を備えることを特徴とする情報処理装置。
【請求項２】
前記第１の生成手段は、前記調達計画期間の日数をＮ日としたとき、車両調達契約の始期日から契約日数分で示される区間を“１”、当該区間以外を“０”とするＮ個の要素データで構成される行データを前記車両調達契約パターンの数であるＭだけ生成することで生成されるＭ行Ｎ列の行列Ａを生成し、
更に、前記各車両調達契約パターンそれぞれの契約金額を要素とするＭ行１列の行列Ｃを生成する第２の生成手段と、
前記入力手段で生成された各日の必要車両台数を要素とする１行Ｎ列の行列Ｚを生成する第３の生成手段と備え、
前記演算手段は、
最小化目標：Ｃt×Ｂ、
制約条件：Ｂt×Ａ≧Ｚ
行列Ｂの要素Ｘi(1≦i≦Ｎ）∈ 非負整数
を数理計画モデルとし、Ｍ行１列とする前記行列Ｂを各車両調達契約パターンでの車両の調達数として算出すること
を特徴とする請求項１に記載の情報処理装置。
【請求項３】
前記演算手段による前記車両の調達パターンでの各車両調達契約パターンで調達される車両の調達数の算出処理の結果、車両の調達数が非ゼロなった前記車両調達契約パターンでの車両の調達数を表示すること
を特徴とする請求項１又は２に記載の情報処理装置。
【請求項４】
前記出力手段は、前記演算手段による前記車両の調達パターンでの各車両調達契約パターンで調達される車両の調達数の算出処理の結果、調達数が非ゼロとなった車両調達契約パターンの車両調達契約タイプの調達契約期間と契約始期日とに従って、前記車両調達期間を示す領域に対し、当該組み合わせ種類での契約期間を認識可能にさらに表示する
ことを特徴とする請求項３に記載の情報処理装置。
【請求項５】
更に、各日に走行した車両実績台数を記憶する蓄積記憶手段を備え、
前記入力手段は、各日の搬送に必要な車両台数として、前記蓄積記憶手段に蓄積された過去の各日の車両実績台数から予測された車両台数を、前記調達計画期間の各日に荷物の搬送のために必要な車両台数のデフォルト値として入力する
ことを特徴とする請求項１乃至４の何れか１項に記載の情報処理装置。
【請求項６】
前記記憶手段に記憶される契約情報には、更に、複数の車両調達契約タイプ夫々における最大稼働日数が定義され、
前記第１の生成手段は、更に前記最大稼働日数を条件として、複数の前記車両調達契約タイプについて当該調達計画期間における車両調達契約パターンを生成する
ことを特徴とする請求項１に記載の情報処理装置。
【請求項７】
車両の調達契約期間が異なる複数の車両調達契約タイプについて、車両の調達契約期間および契約金額を少なくとも定義した契約情報を記憶する記憶装置を備え、車両の調達計画期間における荷物の搬送に必要な車両の調達計画を行う情報処理装置の制御方法であって、
車両の調達計画を行う前記調達計画期間を設定する期間設定工程と、
前記期間設定工程で設定された前記調達計画期間の各日に荷物の搬送のために必要な車両台数を入力する入力工程と、
前記記憶装置に記憶されている契約情報に定義された車両調達契約タイプ毎の車両の調達契約期間及び車両調達契約の始期日を少なくとも条件として、複数の前記車両調達契約タイプについての当該調達計画期間における車両調達契約パターンを生成する第１の生成工程と、
前記車両調達契約パターン及びその契約金額に従って、前記入力工程で入力された各日に必要な前記車両台数を満たし、且つ、前記車両台数を調達するために必要な契約金額の合計が最小となる車両の調達パターンにおいて各車両調達契約パターンで調達される車両の調達数を算出する演算工程と
を備えることを特徴とする情報処理装置の制御方法。
【請求項８】
車両の調達契約期間が異なる複数の車両調達契約タイプについて、車両の調達契約期間および契約金額を少なくとも定義した契約情報を記憶する記憶装置を備えるコンピュータを、車両の調達計画期間において荷物の搬送に必要な車両の調達計画を行う情報処理装置として機能させるためのコンピュータプログラムであって、
前記コンピュータを、
車両の調達計画を行う前記調達計画期間を設定する期間設定手段と、
前記期間設定手段で設定された前記調達計画期間の各日に荷物の搬送のために必要な車両台数を入力する入力手段と、
前記記憶手段に記憶されている契約情報に定義された車両調達契約タイプ毎の車両の調達契約期間及び車両調達契約の始期日を少なくとも条件として、複数の前記車両調達契約タイプについての当該調達計画期間における車両調達契約パターンを生成する第１の生成手段と、
前記車両調達契約パターン及びその契約金額に従って、前記入力手段で入力された各日に必要な前記車両台数を満たし、且つ、前記車両台数を調達するために必要な契約金額の合計が最小となる車両の調達パターンにおいて各車両調達契約パターンで調達される車両の調達数を算出する演算手段
として機能させることを特徴とするコンピュータプログラム。
【請求項９】
請求項８に記載のコンピュータプログラムを格納したことを特徴とするコンピュータ可読記憶媒体。
【手続補正２】
【補正対象書類名】明細書
【補正対象項目名】発明の名称
【補正方法】変更
【補正の内容】
【発明の名称】情報処理装置、情報処理装置の制御方法、コンピュータプログラム及び記憶媒体
【手続補正３】
【補正対象書類名】明細書
【補正対象項目名】０００７
【補正方法】変更
【補正の内容】
【０００７】
本発明はかかる問題点に鑑みなされたものであり、車両調達期間として設定する期間に対し、格別な経験を必要とせず、且つ、簡単な操作でもって、傭車車両の契約タイプと契約始期日、更には、それらの契約での車両の調達数を如何にすべきかという情報を算出するための技術を提供しようとするものである。
【手続補正４】
【補正対象書類名】明細書
【補正対象項目名】０００８
【補正方法】変更
【補正の内容】
【０００８】
かかる課題を解決するため、例えば本発明の情報処理装置は以下の構成を備える。即ち、車両の調達計画期間における荷物の搬送に必要な車両の調達計画を行う情報処理装置であって、車両の調達契約期間が異なる複数の車両調達契約タイプについて、車両の調達契約期間および契約金額を少なくとも定義した契約情報を記憶する記憶手段と、車両の調達計画を行う前記調達計画期間を設定する期間設定手段と、前記期間設定手段で設定された前記調達計画期間の各日に荷物の搬送のために必要な車両台数を入力する入力手段と、前記記憶手段に記憶されている契約情報に定義された車両調達契約タイプ毎の車両の調達契約期間及び車両調達契約の始期日を少なくとも条件として、複数の前記車両調達契約タイプについての当該調達計画期間における車両調達契約パターンを生成する第１の生成手段と、前記車両調達契約パターン及びその契約金額に従って、前記入力手段で入力された各日に必要な前記車両台数を満たし、且つ、前記車両台数を調達するために必要な契約金額の合計が最小となる車両の調達パターンにおいて各車両調達契約パターンで調達される車両の調達数を算出する演算手段とを備えることを特徴とする。
【手続補正５】
【補正対象書類名】明細書
【補正対象項目名】０００９
【補正方法】変更
【補正の内容】
【０００９】
本発明によれば、車両調達期間における各日に必要な車両数の情報を入力するという簡単な操作を行うだけで、格別な経験を必要とせずとも、傭車車両の契約タイプと契約始期日、更には、それらの契約での車両の調達数を如何にすべきかという情報を算出することが可能となる。
【手続補正６】
【補正対象書類名】明細書
【補正対象項目名】００３０
【補正方法】変更
【補正の内容】
【００３０】
また、契約傭車車両のうち、最大期間は２０日契約であるので、第１行の２０日契約傭車の場合、すべての行列要素に“１”を割り当てる。なお、設定した期間の日数が２１日である場合には、契約始期日が１日目と、２日目の２通りとなり、稼働日数が２２日の場合には、契約始期日が１日目、２日目、３日目の３通りとなる。